(57)【要約】      （修正有）【課題】使用方法を変更可能な水切り棚を提供する。【解決手段】流し台６００のシンク６１０に配置される水切り棚５００であって、本体部と、本体部の天部側の両側から延出する支持部２００、３００と、トレイ４００とを備えており、支持部２００、３００は、シンク６１０の相対する縁部６１１、６１２にそれぞれ載置可能であると共に、支持部２００、３００の下面側を縁部６１１、６１２にそれぞれ載置した際に、本体部がシンク６１０内に収容されるように構成されており、トレイ４００は、本体部の天部と、天部の反対側の底部のいずれにも配置可能に構成されていることを特徴とする。【選択図】図３
2019193743.tif 000002
【特許請求の範囲】
【請求項１】
流し台のシンクに配置される水切り棚であって、
本体部と、当該本体部の天部側の両側から延出する支持部と、トレイとを備えており、
前記支持部は、前記シンクの相対する縁部にそれぞれ載置可能であると共に、当該支持部の下面側を前記縁部にそれぞれ載置した際に、前記本体部が前記シンク内に収容されるように構成されており、
前記トレイは、前記本体部の天部と、当該天部の反対側の底部のいずれにも配置可能に構成されていることを特徴とする水切り棚。
【請求項２】
前記本体部を上下反転させて、前記支持部の上面側を前記縁部に載置した際に、前記トレイは、前記本体部の天部に配置可能に構成されていることを特徴とする請求項１に記載の水切り棚。
【請求項３】
流し台のシンクに配置される水切り棚であって、
本体部と、当該本体部の天部側の両側から延出する支持部と、トレイとを備えており、
前記支持部は、前記シンクの相対する縁部にそれぞれ載置可能であると共に、当該支持部の下面側を前記縁部にそれぞれ載置した際に、前記本体部が前記シンク内に収容されるように構成されており、前記トレイは、前記本体部の天部の反対側の底部に配置可能に構成されており、
前記本体部を上下反転させて、前記支持部の上面側を前記縁部に載置した際に、前記トレイは、前記本体部の天部に配置可能に構成されていることを特徴とする水切り棚。
【請求項４】
前記本体部の天部が、前記支持部よりも下方に位置するように、前記天部と前記支持部との間には段差部が形成されていることを特徴とする請求項１から３のいずれかに記載の水切り棚。
【請求項５】
前記トレイは、１つ以上の水切り孔を備え、
前記トレイの表面積に対する前記水切り孔の開孔率が、５０％未満であることを特徴とする請求項１から４のいずれかに記載の水切り棚。
【請求項６】
流し台のシンクに配置される水切り棚であって、
本体部と、樹脂製のトレイとを備えており、
前記トレイは前記本体部の底部に配置可能であると共に、１つ以上の水切り孔を備え、前記トレイの表面積に対する前記水切り孔の開孔率が、５０％未満であることを特徴とする水切り棚。
【発明の詳細な説明】
【技術分野】
【０００１】
本願発明は、流し台のシンクに配置されて、食器等の水切りを行う水切り棚に関する。
【背景技術】
【０００２】
従来から、様々な種類の水切り棚が知られているが、例えば、特許文献１に開示されている水切り棚は、食器が落ちないように囲む側面線材と、食器を底面から支持する底面線材を備え、全体がカゴ状に形成されている。そして、当該水切り棚の周縁部をシンクの縁部に係止させることで、水切り棚はシンク内に収容されていた。この状態で、水切り棚の底部に食器等を置いておけば、食器に付着した水滴等がシンク内に自然と流れていくので、食器の水切りができるのである。
【０００３】
ただ、この特許文献１の水切り棚は、シンク内に収容した状態で、底部に食器等を置いて水切りを行うという使用方法に限定されており、シンク内に食器や食材を置くことができないなど、利用範囲が狭く不便であった。
【先行技術文献】
【特許文献】
【０００４】
【特許文献１】特開２００２−３３０８８０号公報
【発明の概要】
【発明が解決しようとする課題】
【０００５】
そこで、上記問題に鑑み、本願発明は、複数の使用方法が有り、当該使用方法を場面に応じて適宜選択可能な水切り棚を提供する。
【課題を解決するための手段】
【０００６】
上記課題を解決するために、本願発明の請求項１に係る水切り棚は、流し台のシンクに配置される水切り棚であって、本体部と、当該本体部の天部側の両側から延出する支持部と、トレイとを備えており、前記支持部は、前記シンクの相対する縁部にそれぞれ載置可能であると共に、当該支持部の下面側を前記縁部にそれぞれ載置した際に、前記本体部が前記シンク内に収容されるように構成されており、前記トレイは、前記本体部の天部と、当該天部の反対側の底部のいずれにも配置可能に構成されていることを特徴とする。
【０００７】
上記特徴によれば、後述する図３及び図４で説明する使用方法１のように、本体部をシンク内に収容し、トレイを底部に配置できるので、食器等の収容物が本体部から落下することがなく、安定して水切りを行うことができる。また、本体部がシンク内に収容されているので、本体部がシンク上方に位置することがなく、流し台の上面側をすっきりさせることができる。さらに、後述する図５及び図６で説明する使用方法２のように、本体部をシンク内に収容し、トレイを天部に配置することができるので、トレイの上に、まな板等の料理器具や食器等を置いて作業を行うことができて、物を置く場所が広くなり、非常に利便性が高い。
【０００８】
さらに、本願発明の請求項２に係る水切り棚は、前記本体部を上下反転させて、前記支持部の上面側を前記縁部に載置した際に、前記トレイは、前記本体部の天部に配置可能に構成されていることを特徴とする。
【０００９】
上記特徴によれば、後述する図７及び図８で説明する使用方法３のように、水切り棚の本体部を上下反転させてシンク上に載置し、トレイを天部に配置できるので、食器等の収容物が本体部から落下することがなく、安定して水切りを行えると同時に、シンク内に食器や食材を置くことができ、シンク内のスペースを有効に活用することができる。
【００１０】
さらに、本願発明の請求項３に係る水切り棚は、流し台のシンクに配置される水切り棚であって、本体部と、当該本体部の天部側の両側から延出する支持部と、トレイとを備えており、前記支持部は、前記シンクの相対する縁部にそれぞれ載置可能であると共に、当該支持部の下面側を前記縁部にそれぞれ載置した際に、前記本体部が前記シンク内に収容されるように構成されており、前記トレイは、前記本体部の天部の反対側の底部に配置可能に構成されており、前記本体部を上下反転させて、前記支持部の上面側を前記縁部に載置した際に、前記トレイは、前記本体部の天部に配置可能に構成されていることを特徴とする。
【００１１】
上記特徴によれば、後述する図３及び図４で説明する使用方法１のように、本体部をシンク内に収容し、トレイを底部に配置できるので、食器等の収容物が本体部から落下することがなく、安定して水切りを行うことができる。また、本体部がシンク内に収容されているので、本体部がシンク上方に位置することがなく、流し台の上面側をすっきりさせることができる。さらに、後述する図７及び図８で説明する使用方法３のように、水切り棚の本体部を上下反転させてシンク上に載置し、トレイを天部に配置すれば、食器等の収容物が本体部から落下することがなく、安定して水切りを行えると同時に、シンク内に食器や食材を置くことができ、シンク内のスペースを有効に活用することができる。
【００１２】
さらに、本願発明の請求項４に係る水切り棚は、前記本体部の天部が、前記支持部よりも下方に位置するように、前記天部と前記支持部との間には段差部が形成されていることを特徴とする。
【００１３】
上記特徴によれば、段差部によって、本体部の天部が支持部より下方へ位置しているため、天部にトレイを配置しても、トレイがシンクから上方へ位置することがなく、流し台の上面での作業する高さが変わらないので、作業を行いやすい。また、水切り棚の上下を反転させた際には、本体部の天部がシンクの上方へ持ち上げられているため、シンク内の高さ方向のスペースが拡大し、シンク内のスペースを更に有効に活用できる。
【００１４】
さらに、本願発明の請求項５に係る水切り棚は、前記トレイは、１つ以上の水切り孔を備え、前記トレイの表面積に対する前記水切り孔の開孔率が、５０％未満であることを特徴とする。
【００１５】
上記特徴によれば、トレイ上では、水切り孔よりも、トレイの表面の面部（水切り孔が設けられていない部分）の割合が大きくなるので、水切り孔にフォークや箸等が引っ掛かったり、落ちたりせず、また、トレイ表面の汚れ等の洗浄も容易となる。
【００１６】
さらに、本願発明の請求項６に係る水切り棚は、流し台のシンクに配置される水切り棚であって、本体部と、樹脂製のトレイとを備えており、前記トレイは前記本体部の底部に配置可能であると共に、１つ以上の水切り孔を備え、前記トレイの表面積に対する前記水切り孔の開孔率が、５０％未満であることを特徴とする。
【００１７】
上記特徴によれば、トレイ上では、水切り孔よりも、トレイの表面の面部（水切り孔が設けられていない部分）の割合が大きくなるので、水切り孔にフォークや箸等が引っ掛かったり、落ちたりせず、また、トレイ表面の汚れ等の洗浄も容易となる。
【発明の効果】
【００１８】
本願発明の水切り棚によれば、複数の使用方法が有り、当該使用方法を場面に応じて適宜選択が可能である。
【図面の簡単な説明】
【００１９】
【図１】（ａ）は本願発明の水切り棚のフレーム部の平面図、（ｂ）は水切り棚のフレーム部の側面図、（ｃ）は水切り棚のフレーム部の正面図である。
【図２】（ａ）は本願発明の水切り棚のトレイの平面図、（ｂ）はトレイの側面図、（ｃ）はトレイの正面図、（ｄ）はＡ―Ａ断面図である。
【図３】本願発明の水切り棚の使用方法１を示すもので、水切り棚を流し台のシンク内に設置した状態の平面図である。
【図４】（ａ）は図３におけるＢ―Ｂ断面図、（ｂ）は図３における設置状態の正面図、（ｃ）は、図４（ａ）において一点鎖線で囲んだ部分の拡大図である。
【図５】本願発明の水切り棚の使用方法２を示すもので、水切り棚を流し台のシンク内に設置した状態の平面図である。
【図６】（ａ）は図５におけるＣ―Ｃ断面図、（ｂ）は図５における設置状態の正面図、（ｃ）は、図６（ａ）において一点鎖線で囲んだ部分の拡大図である。
【図７】本願発明の水切り棚の使用方法３を示すもので、水切り棚を流し台のシンク上方に設置した状態の平面図である。
【図８】（ａ）は図７におけるＤ―Ｄ断面図、（ｂ）は図７における設置状態の正面図、（ｃ）は、図８（ａ）において一点鎖線で囲んだ部分の拡大図である。
【符号の説明】
【００２０】
１００        本体部
１１０        天部
１２０        底部
２００        支持部
２０２        下面
３００        支持部
３０２        下面
４００        トレイ
５００        水切り棚
６００        流し台
６１０        シンク
６１１        縁部
６１２        縁部
【発明を実施するための形態】
【００２１】
以下に、本願発明の実施の形態について、図面を用いて説明する。尚、本明細書において、「上方」とは水切り棚の本体部の上端開口を上にして水平面上に載置した際に、鉛直方向における上方に向く方向のことであり、「下方」とは鉛直方向における下方に向く方向のことである。
【００２２】
まず、図１に本願発明の水切り棚５００のフレーム部５１０を示す。尚、図１（ａ）は水切り棚５００のフレーム部５１０の平面図、図１（ｂ）は水切り棚５００のフレーム部５１０の側面図、図１（ｃ）は水切り棚５００のフレーム部５１０の正面図である。また、本願発明の水切り棚５００は、フレーム部５１０と、後述するトレイ４００とから構成されている。
【００２３】
この水切り棚５００のフレーム部５１０は、金属製のワイヤを屈曲させて形成したもので、枠状に設けた本体部１００と、当該本体部１００の両側から延出する支持部２００、及び支持部３００とを備える。
【００２４】
本体部１００は、後述するトレイ４００を用いて内部に食器等を置いて収容する部分である。図１に示すように、本体部１００は上端開口１０１と下端開口１０２を備える。さらに、上端開口１０１の周縁を囲むように形成された天部１１０と、当該天部１１０の反対側に位置し、下端開口１０２の周縁を囲むように形成された底部１２０とを備える。
【００２５】
天部１１０は、図１（ａ）に示すように、ワイヤを平面視で略長方形形状に屈曲させたものである。そして、天部１１０と同一形状の中間部１３０と、天部１１０と同一形状の底部１２０が上下方向に並べられ、天部１１０と中間部１３０と底部１２０が、連結部２４０及び連結部３４０によって互いに連結されている。この連結部２４０及び連結部３４０による連結箇所は、図１に示すように本体部１００の側面の計４箇所となっている。
【００２６】
この天部１１０のワイヤ部分は縦断面形状が円形で、当該断面形状がワイヤ部分の軸方向に沿って連続しており、天部１１０の表面１１１と裏面１１２は、表面形状が同一となっている。そのため、後述するように、トレイ４００は天部１１０の表面１１１と裏面１１２のいずれにも載置できるようになっている。また、底部１２０は、天部１１０と同一形状をしているので、底部１２０の表面１２１にもトレイ４００を載置できるようになっている。尚、天部１１０及び底部１２０のワイヤ部分は、縦断面形状が平板状になっていてもよい。また、中間部１３０は、天部１１０及び底部１２０と異なる形状であってもよい。
【００２７】
また、支持部２００は、後述するように、シンクの縁部に載置する部分である。この支持部２００は、図１（ａ）に示すように、ワイヤを平面視で略コ字状に屈曲させたもので、本体部１００の天部１１０から外側に向けて延出するように配置されている。さらに、ワイヤの両端の先端側を下方へ屈曲させた部分が連結部２４０となっており、当該連結部２４０が本体部１００に連結されることで、支持部２００は本体部１００に固定されている。また、支持部２００のワイヤの一部が段差状に屈曲されて、段差部２２０が形成されている。この段差部２２０によって、本体部１００の天部１１０は、支持部２００より下方へ位置している。また、支持部２００には、シンクの縁部表面で滑らないように、ゴム等で製造された滑り止め２１０が取り付けられている。
【００２８】
一方、支持部２００の反対側の支持部３００も、シンクの縁部に載置する部分である。この支持部３００は、水道等の配管が取り付けられている側のシンクの縁部に載置されるもので、支持部２００よりも全長が長くなっている。この支持部３００は、図１（ａ）に示すように、ワイヤを平面視で略コ字状に屈曲させたもので、本体部１００の天部１１０から外側に向けて延出するように配置されている。さらに、ワイヤの両端の先端側を下方へ屈曲させた部分が連結部３４０となっており、当該連結部３４０が本体部１００に連結されることで、支持部３００は本体部１００に固定されている。また、支持部３００のワイヤの一部が段差状に屈曲されて、段差部３２０が形成されている。この段差部３２０の高さは、段差部２２０の高さと等しくなっている。そして、段差部３２０によって、本体部１００の天部１１０は、支持部３００より下方へ位置している。また、支持部３００には、シンクの縁部表面で滑らないように、ゴム等で製造された滑り止め３１０が取り付けられている。尚、段差部２２０及び段差部３２０を設けずに直線状とし、本体部１００の天部１１０と、支持部２００及び支持部３００とを同一平面上に位置するようにしてもよい。また、両側の支持部２００と支持部３００は、同じ長さにしてもよい。
【００２９】
また、支持部２００の下面２０２は、シンクの縁部に安定して載置できるように直線状になっている。さらに、本体部１００を上下反転させても、シンクの縁部に安定して載置できるように、支持部２００の上面２０１も直線状になっている。同様に、支持部３００の上面３０１及び下面３０２も、シンクの縁部に安定して載置できるように直線状になっている。
【００３０】
また、図１（ｂ）及び（ｃ）に示すように、本体部１００の正面及び背面のそれぞれには、開口１５０及び開口１６０が形成されている。この開口１５０は、天部１１０と中間部１３０の間に形成されたもので、天部１１０の裏面１１２と連続している。そのため、後述するように、本体部１００を上下反転させた際に、トレイ４００を開口１５０から本体部１００内部に差し込み、天部１１０の裏面１１２にトレイ４００を載置させることができるのである。また、開口１６０は、底部１２０と中間部１３０の間に形成されたもので、底部１２０の表面１２１と連続している。そのため、後述するように、トレイ４００を開口１６０から本体部１００内部に差し込み、底部１２０の表面１２１にトレイ４００を載置させることができるのである。
【００３１】
図１に示すように、本体部１００は、金属製のワイヤを屈曲させて形成したものであるが、これに限定されず、上端開口１０１と下端開口１０２を備えるように板材を枠状に設けてもよく、また、金属以外の任意の素材を利用してもよい。さらに、本体部１００の天部１１０と底部１２０は、同一形状で、ワイヤを平面視で略長方形形状に屈曲させたものであるが、これに限定されず、天部１１０と底部１２０は、トレイ４００を配置できる構成であれば、互いに異なる任意の構成としてもよい。
【００３２】
次に、図２に本願発明の水切り棚５００のトレイ４００を示す。尚、図２（ａ）はトレイ４００の平面図、図２（ｂ）はトレイ４００の側面図、図２（ｃ）はトレイ４００の正面図、図２（ｄ）はＡ―Ａ断面図である。
【００３３】
トレイ４００は、樹脂製の平面視略長方形の板材であり、食器等を載置する表面４１０と、トレイ４００の周縁を囲むように一体に形成された載置部４２０とを備える。表面４１０には、直線状の山部４１２と谷部４１３が交互に複数形成されており、谷部４１３には、裏面４３０に向けて貫通する水切り孔４１１が複数設けられている。そして、山部４１２によって、食器等の収容物とトレイ４００の表面４１０との接触面積を減らすと共に、食器等から流れた水を谷部４１３の水切り孔４１１へと誘導している。そのため、食器等から流れた水滴が表面４１０に溜まりにくく、衛生上好ましいのである。
【００３４】
また、谷部４１３の裏面４３０の表面４３１形状は、山部４１２のように尖っておらず、山部４１２よりも丸味を帯びている。裏面４３０には水切り孔４１１から落ちる水滴が付きやすいので、表面４３１の形状に丸味を持たせて掃除をしやすいようにしたのである。
【００３５】
また、載置部４２０は、天部１１０や底部１２０の周縁の内側に挿入される壁部４２１と、当該壁部４２１から外側に向けて突出する当接部４２２を備える。この当接部４２２の表面は平坦面となっており、天部１１０の表面１１１、裏面１１２、及び底部１２０の表面１２１に載置させやすくなっている。さらに、載置部４２０の壁部４２１には係止爪４２３が形成されており、当該係止爪４２３の両側には切り込み４２４が入れられて、係止爪４２３は弾性変形可能に構成されている。このトレイ４００の係止爪４２３は、後述するように、トレイ４００が天部１１０又は底部１２０に配置された際に、天部１１０又は底部１２０の一部に係合してトレイ４００を固定するものである。また、トレイ４００が天部１１０又は底部１２０に配置できればよいので、トレイ４００を固定するための係止爪４２３は設けないこともできる。
【００３６】
また、トレイ４００の表面４１０には、１つ以上の水切り孔４１１が形成されている。そして、トレイ４００の表面積に対する水切り孔４１１の開孔率は、５０％未満となっている。具体的には、開孔率とは、トレイ４００の表面積に対する、水切り孔４１１の開孔面積の割合を意味する。そして、トレイ４００の表面積をＳ、一つの水切り孔４１１の開孔面積をＶ、水切り孔４１１の総数をαとすると、開孔率（％）は、（αＶ／Ｓ）×１００と表される。そして、開孔率が５０％未満、つまり、水切り孔４１１の開孔面積Ｖの合計をトレイ４００の表面積Ｓの半分未満とすることで、トレイ４００上では、水切り孔４１１よりも、面部４１４（水切り孔４１１が設けられていない部分）の割合が大きくなる。すると、水切り孔４１１にフォークや箸等が引っ掛かったり、落ちたりせず、また、トレイ表面の汚れ等の洗浄も容易となる。
【００３７】
さらに、トレイ４００の表面積に対する水切り孔４１１の開孔率は、好ましくは、３０％とする。開孔率を３０％とすることで、水切りを効率よく行えると共に、水切り孔４１１にフォークや箸等が引っ掛かったり、落ちたりせず、また、トレイ表面の汚れ等の洗浄も容易となる。
【００３８】
尚、トレイ４００は、樹脂製の平面視略長方形の板材であるが、これに限定されず、食器等の収容物を載置可能で水切りが出来るのであれば、任意の素材で任意の形状としてもよい。
【００３９】
では次に、本願発明の水切り棚５００の各使用方法について、図３から図８を参照して説明する。尚、図３から図８に示す水切り棚５００は、図１に示すフレーム部５１０と、図２に示すトレイ４００とを組み合わせて使用している。
【００４０】
＜使用方法１＞
まず、図３及び図４は、本願発明の水切り棚５００の使用方法１を表すもので、水切り棚５００を流し台６００のシンク６１０内に設置した状態である。そして、この図３は設置状態の平面図、図４（ａ）は図３におけるＢ―Ｂ断面図、図４（ｂ）は図３における設置状態の正面図、図４（ｃ）は、図４（ａ）において一点鎖線で囲んだ部分の拡大図である。尚、図４（ｂ）では、シンク６１０内部を見やすくするために、流し台６００の正面側を取り除いて示している。
【００４１】
図３及び図４に示すように、シンク６１０は、流し台６００の上面６０１から下方へ窪んだ形状をしており、手前側の縁部６１１と、当該縁部６１１に相対する縁部６１２とを備える。シンク６１０の奥側には水道等の配管６０２が設置されているため、縁部６１２の幅は、縁部６１１の幅より長くなっている。
【００４２】
本願発明の水切り棚５００の使用方法１では、図３及び図４に示すように、水切り棚５００のフレーム部５１０の本体部１００をシンク６１０内に収容して使用する。具体的には、シンク６１０の縁部６１２に支持部３００の下面３０２を、シンク６１０の縁部６１１に支持部２００の下面２０２をそれぞれ載置し、本体部１００をシンク６１０内で浮いた状態で収容する。
【００４３】
また、トレイ４００の表面４１０が本体部１００の内側に向くように、本体部１００の底部１２０には、トレイ４００が配置されている。具体的には、図４（ｃ）に示すように、載置部４２０の壁部４２１を底部１２０の周縁の内側に嵌めるように挿入し、底部１２０の表面１２１にトレイ４００の当接部４２２を載置する。すると、トレイ４００は、底部１２０の表面１２１側に載置されて、底部１２０から脱落しないように底部１２０に配置されることになる。また、底部１２０の表面１２１と裏面１２２は、トレイ４００の当接部４２２と係止爪４２３とによって挟み込まれているので、トレイ４００は底部１２０に固定された状態となっている。尚、係止爪４２３は弾性変形可能なので、係止爪４２３を内側に弾性変形させれば、トレイ４００を底部１２０から容易に着脱させることが出来る。
【００４４】
そして、図４（ａ）に示すように、食器等の収容物Ｘ１をトレイ４００の表面４１０に載置して、本体部１００内に収容しておけば、収容物Ｘ１が本体部１００から落下することがなく、安定して水切りを行うことができる。また、本体部１００がシンク６１０内に収容されているので、本体部１００がシンク６１０上方に位置することがなく、流し台６００の上面６０１側をすっきりさせることができる。
【００４５】
尚、トレイ４００を底部１２０に配置する際は、本体部１００の上端開口１０１からトレイ４００を本体部１００内に入れてゆき、底部１２０上に載置してもよい。また、水切り棚５００をシンク６１０内に収容する前に、本体部１００の開口１６０からトレイ４００を本体部１００内に差し込んでゆき、底部１２０上に載置してもよい。尚、トレイ４００を底部１２０に配置する方法は、これらの方法に限られず、適宜任意の方法を採用することができる。
【００４６】
また、図４（ｃ）に示すように、トレイ４００を底部１２０に配置する際は、枠状の底部１２０の周縁の内側に、トレイ４００の載置部４２０の壁部４２１を上方から嵌め込むように挿入して、底部１２０の表面１２１に載置部４２０の当接部４２２を載置するだけで、トレイ４００が、底部１２０から抜け落ちることなく、尚且つ、底部１２０から側方にズレることなく、底部１２０に簡単に配置される。尚、トレイ４００を底部１２０に配置する構成は、上記構成に限定されず、例えば、ネジ等の連結具を利用して、トレイ４００を底部１２０に取り付けて配置してもよく、トレイ４００を底部１２０に配置できるのであれば、その他の任意の構成を採用してもよい。
【００４７】
＜使用方法２＞
次に、図５及び図６は、本願発明の水切り棚５００の使用方法２を説明するもので、水切り棚５００を流し台６００のシンク６１０内に設置した状態である。そして、この図５は設置状態の平面図、図６（ａ）は図５におけるＣ―Ｃ断面図、図６（ｂ）は図５における設置状態の正面図、図６（ｃ）は、図６（ａ）において一点鎖線で囲んだ部分の拡大図である。尚、図６（ｂ）では、シンク６１０内部を見やすくするために、流し台６００の正面側を取り除いて示している。
【００４８】
本願発明の水切り棚５００の使用方法２では、図５及び図６に示すように、水切り棚５００のフレーム部５１０の本体部１００をシンク６１０内に収容して使用する。具体的には、シンク６１０の縁部６１２に支持部３００の下面３０２を、シンク６１０の縁部６１１に支持部２００の下面２０２をそれぞれ載置し、本体部１００をシンク６１０内で浮いた状態で収容する。
【００４９】
また、トレイ４００は、トレイ４００の表面４１０が本体部１００の外側に向くように、天部１１０に配置されている。具体的には、図６（ｃ）に示すように、載置部４２０の壁部４２１を天部１１０の周縁の内側に嵌めるように挿入し、天部１１０の表面１１１に当接部４２２を載置する。すると、トレイ４００は、天部１１０の表面１１１側に載置されて、天部１１０から脱落しないように天部１１０に配置されることになる。また、天部１１０の表面１１１と裏面１１２は、トレイ４００の当接部４２２と係止爪４２３とによって挟み込まれているので、トレイ４００は天部１１０に固定された状態となっている。尚、係止爪４２３は弾性変形可能なので、係止爪４２３を内側に弾性変形させれば、トレイ４００を容易に着脱させることが出来る。
【００５０】
そして、図５及び図６に示すように、水切り棚５００の天部１１０にトレイ４００を配置すれば、トレイ４００の上に、まな板等の料理器具や食器等を置いて作業を行え、物を置く場所が広くなる。例えば、流し台６００の上面６０１の作業スペースが不足している場合に、トレイ４００を天部１１０に配置すれば、作業スペースを拡大できるので、非常に利便性が高い。
【００５１】
さらに、段差部２２０及び段差部３２０によって、本体部１００の天部１１０が支持部２００及び支持部３００より下方へ位置している。そのため、天部１１０にトレイ４００を配置しても、トレイ４００がシンク６１０から上方へ位置することがなく、流し台６００の上面６０１での作業する高さが変わらないので、作業を行いやすい。また、トレイ４００と流し台６００の上面６０１とが略同一平面に位置するように、段差部２２０及び段差部３２０の高さを設定しているので、例えば、上面６０１とトレイ４００とを跨ぐように、まな板等の大きな調理器具を置くことができ、利便性が高いのである。
【００５２】
また、図６（ｃ）に示すように、トレイ４００を天部１１０に配置する際は、枠状の天部１１０の周縁の内側に、トレイ４００の載置部４２０の壁部４２１を上方から嵌め込むように挿入して、天部１１０の表面１１１に載置部４２０の当接部４２２を載置するだけで、トレイ４００が、天部１１０から抜け落ちることなく、尚且つ、天部１１０から側方にズレることなく、天部１１０に簡単に配置される。尚、トレイ４００を天部１１０に配置する構成は、上記構成に限定されず、例えば、ネジ等の連結具を利用して、トレイ４００を天部１１０に取り付けて配置してもよく、トレイ４００を天部１１０に配置できるのであれば、その他の任意の構成を採用してもよい。
【００５３】
＜使用方法３＞
次に、図７及び図８は、本願発明の水切り棚５００の使用方法３を表すもので、水切り棚５００を流し台６００のシンク６１０上方に設置した状態である。そして、この図７は設置状態の平面図、図８（ａ）は図７におけるＤ―Ｄ断面図、図８（ｂ）は図７における設置状態の正面図、図８（ｃ）は、図８（ａ）において一点鎖線で囲んだ部分の拡大図である。尚、図８（ｂ）では、シンク６１０内部を見やすくするために、流し台６００の正面側を取り除いて示している。
【００５４】
本願発明の水切り棚５００の使用方法３では、図７及び図８に示すように、水切り棚５００のフレーム部５１０の本体部１００をシンク６１０の上方に配置して使用する。この使用方法３では、図３及び図５に説明する使用方法１及び２とは異なり、水切り棚５００の本体部１００を上下反転させて、シンク６１０上に配置している。具体的には、シンク６１０の縁部６１２に支持部３００の上面３０１を、シンク６１０の縁部６１１に支持部２００の上面２０１をそれぞれ載置し、本体部１００をシンク６１０の上方に配置する。
【００５５】
そして、トレイ４００は、トレイ４００の表面４１０が本体部１００の内側に向くように、天部１１０に配置されている。具体的には、図８（ｃ）に示すように、載置部４２０の壁部４２１を天部１１０の周縁の内側に嵌めるように挿入し、天部１１０の裏面１１２に当接部４２２を載置する。すると、トレイ４００は、上下反転させられた本体部１００の天部１１０の裏面１１２側に載置されて、天部１１０から脱落しないように天部１１０に配置されることになる。また、天部１１０の裏面１１２と表面１１１は、トレイ４００の当接部４２２と係止爪４２３とによって挟み込まれているので、トレイ４００は天部１１０に固定された状態となっている。尚、係止爪４２３は弾性変形可能なので、係止爪４２３を内側に弾性変形させれば、トレイ４００を容易に着脱させることが出来る。
【００５６】
そして、図８（ａ）に示すように、食器等の収容物Ｘ１をトレイ４００の表面４１０に載置して、本体部１００内に収容しておけば、収容物Ｘ１が本体部１００から落下することがなく、安定して水切りを行うことができる。また、本体部１００がシンク６１０上方に配置されているので、収容物Ｘ１の水切りを行うと同時に、シンク６１０内に食器や食材を置くことができ、シンク６１０内のスペースを有効に活用することができる。
【００５７】
さらに、段差部２２０及び段差部３２０によって、本体部１００の天部１１０がシンク６１０の上方へ持ち上げられているため、シンク６１０内の高さ方向のスペースが拡大し、シンク６１０内のスペースを更に有効に活用できる。
【００５８】
尚、トレイ４００を天部１１０に配置する際は、本体部１００の下端開口１０２からトレイ４００を本体部１００内に入れてゆき、天部１１０上に載置してもよい。また、本体部１００の開口１５０からトレイ４００を本体部１００内に差し込んでゆき、天部１１０上に載置してもよい。尚、トレイ４００を天部１１０に配置する方法は、これらの方法に限られず、適宜任意の方法を採用することができる。
【００５９】
また、図８（ｃ）に示すように、トレイ４００を、上下反転した本体部１００の天部１１０に配置する際は、枠状の天部１１０の周縁の内側に、トレイ４００の載置部４２０の壁部４２１を上方から嵌め込むように挿入して、天部１１０の裏面１１２に載置部４２０の当接部４２２を載置するだけで、トレイ４００が、天部１１０から抜け落ちることなく、尚且つ、天部１１０から側方にズレることなく、天部１１０に簡単に配置される。尚、トレイ４００を天部１１０に配置する構成は、上記構成に限定されず、例えば、ネジ等の連結具を利用して、トレイ４００を天部１１０に取り付けて配置してもよく、トレイ４００を天部１１０に配置できるのであれば、その他の任意の構成を採用してもよい。
【００６０】
このように、本願発明の水切り棚５００によれば、図３及び図４で説明する使用方法１のように、本体部１００をシンク６１０内に収容し、トレイ４００を底部１２０に配置できるので、食器等の収容物Ｘ１が本体部１００から落下することがなく、安定して水切りを行うことができる。また、本体部１００がシンク６１０内に収容されているので、本体部１００がシンク６１０上方に位置することがなく、流し台６００の上面６０１側をすっきりさせることができる。
【００６１】
さらに、本願発明の水切り棚５００では、図５及び図６で説明する使用方法２のように、本体部１００をシンク６１０内に収容し、トレイ４００を天部１１０に配置することができるので、トレイ４００の上に、まな板等の料理器具や食器等を置いて作業を行うことができて、物を置く場所が広くなり、非常に利便性が高いのである。
【００６２】
さらに、本願発明の水切り棚５００では、図７及び図８で説明する使用方法３のように、水切り棚５００の本体部１００を上下反転させてシンク６１０上に載置し、トレイ４００を天部１１０に配置できるので、食器等の収容物Ｘ１が本体部１００から落下することがなく、安定して水切りを行えると同時に、シンク内に食器や食材を置くことができ、シンク６１０内のスペースを有効に活用することができる。
【００６３】
尚、図３から図８に示す水切り棚５００では、使用方法１から使用方法３の全ての使用方法が可能に構成されているが、これに限定されない。例えば、本願発明の水切り棚５００は、使用方法１と使用方法２のみが可能に構成してもよく、その場合、本体部１００をシンク６１０内に収容した際は、トレイ４００を天部１１０と底部１２０のいずれにも配置できるが、一方、水切り棚５００を上下反転させた際は、トレイ４００を天部１１０に配置しない構成としてもよい。また、本願発明の水切り棚５００は、使用方法１と使用方法３のみが可能に構成してもよく、その場合、本体部１００をシンク６１０内に収容した際は、トレイ４００を底部１２０に配置できるが、天部１１０には配置しない構成とし、一方、水切り棚５００を上下反転させた際は、トレイ４００を天部１１０に配置する構成としてもよい。
【００６４】
また、本願発明の水切り棚５００によれば、段差部２２０及び段差部３２０によって、本体部１００の天部１１０が支持部２００及び支持部３００より下方へ位置しているため、天部１１０にトレイ４００を配置しても、トレイ４００がシンク６１０から上方へ位置することがなく、流し台６００の上面６０１での作業する高さが変わらないので、作業を行いやすい。また、水切り棚５００の上下を反転させた際には、本体部１００の天部１１０がシンク６１０の上方へ持ち上げられているため、シンク６１０内の高さ方向のスペースが拡大し、シンク６１０内のスペースを更に有効に活用できる。
【００６５】
また、本願発明の水切り棚５００によれば、「流し台のシンクに配置される水切り棚であって、本体部と、樹脂製のトレイとを備えており、前記トレイは前記本体部の底部に配置可能であると共に、１つ以上の水切り孔を備え、前記トレイの表面積に対する前記水切り孔の開孔率が、５０％未満である」ことを特徴としており（以下、特徴１と呼ぶ）、当該特徴１によって、トレイ４００上では、水切り孔４１１よりも、トレイ４００の表面の面部４１４（水切り孔４１１が設けられていない部分）の割合が大きくなるので、水切り孔４１１にフォークや箸等が引っ掛かったり、落ちたりせず、また、トレイ表面の汚れ等の洗浄も容易となる。
【００６６】
さらに、本願発明の水切り棚５００によれば、「流し台のシンクに配置される水切り棚であって、本体部と、樹脂製のトレイとを備えており、前記トレイは前記本体部の底部に配置可能であると共に、１つ以上の水切り孔を備え、前記トレイの表面積に対する前記水切り孔の開孔率が、３０％である」ことを特徴としており（以下、特徴２と呼ぶ）、当該特徴２によって、水切りを効率よく行えると共に、水切り孔４１１にフォークや箸等が引っ掛かったり、落ちたりせず、また、トレイ表面の汚れ等の洗浄も容易となる。
【００６７】
尚、上記特徴１又は特徴２を備える水切り棚５００については、図３から図８では、使用方法１から使用方法３の全ての使用方法が可能に構成しているが、これに限定されず、使用方法１のみが可能に構成し、使用方法１と使用方法２のみが可能に構成し、又は、使用方法１と使用方法３のみが可能に構成してもよい。
【００６８】
尚、本願発明の水切り棚は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2019193743.tif 000003
【図２】
2019193743.tif 000004
【図３】
2019193743.tif 000005
【図４】
2019193743.tif 000006
【図５】
2019193743.tif 000007
【図６】
2019193743.tif 000008
【図７】
2019193743.tif 000009
【図８】
2019193743.tif 000010